(57)【要約】【課題】これまではポットトレーに並べたポットの土中に一つずつ穴を開けて種を植えており、時間と労力を費やしていたので、効率化し、作業の負担を軽減したい。【解決手段】円筒を多数有した下板に中棒を多数有した上板を重ねてセットにしたパネルを土壌に押しつけることで、ポットトレーに配置されたポットや苗床などに種を植える穴（くぼみ）を一度に多数開けることができる。【選択図】図１
2009247341.tif 000002
【特許請求の範囲】
【請求項１】
複数の鉛直向きの円筒を下面に有する下板の上に、上板下面の各中棒が前記円筒中に入るように重ねた状態で、土壌中に各円筒を押し込み、次いで上板を除去してから各円筒中に種を落とし込み、その後に下板を土壌から抜き去ることを特徴とする種植えパネルによる種植え方法。
【請求項２】
複数の鉛直向きの円筒を下面に有する下板と、
前記の各円筒中に挿入する中棒を下面に有する上板とから成り、
前記下板は、前記各円筒中に上板下面の各中棒が嵌入できるように貫通穴が開口していることを特徴とする種植えパネル。
【請求項３】
前記の中棒の下端をテーパ状に尖らし、並びに／又は前記円筒の上端内径を漏斗状の斜面にしてあることを特徴とする請求項２に記載の種植えパネル。
【発明の詳細な説明】
【技術分野】
【０００１】  本発明は、ポットトレー上に配置されたポットやプランター、苗床等に種を植え付けるための種穴を一度に多数開けられるようにした方法と装置に関する。
【背景技術】
【０００２】  現在、畑等で使用する動力付きの大型機等はあるが、ポットやプランター、小規模な苗床などに対応できる装置は少なく、ポットやプランター、苗床等への種植えは、一つひとつ土壌に種穴を開け、種を植える作業を行っており、大変な労力が必要とされている。【０００３】  一方、特許文献１記載のようなハンディ種植機が開発されているが、それでも一つひとつ土壌に穴を開け、種を植える構造であって、ポットトレー上に配置された多数のポット等への一括種植えでは手間がかかっている。
【特許文献１】公開平９−３１３０１４（土中に差し込み種植えをするハンディ種植機）
【発明の開示】
【発明が解決しようとする課題】
【０００４】  本発明は、大がかりな機械を必要とせずに、ポットトレー上に配列された多数のポットやプランター、苗床等の土壌中に能率的に種植えできる方法と装置を実現することによって、労力の軽減を図ることを目的としたものである。
【課題を解決するための手段】
【０００５】  本発明は、図１の様に下板１及び上板２を重ねた状態で、ポットやプランター、苗床等の土に押し着けることによって、円筒３及び中棒６が一緒に土中に押し込まれ、一度に多数の種を入れる穴（くぼみ）を開ける構造となっている。【０００６】  手順としては、図５（１）の様に、下板１の上に上板２を重ねて、下板１の各円筒３中に上板２の中棒６が嵌入した状態で、ポットやプランター、苗床などの土中に、中棒の入った円筒３を押し着けることによって、円筒３及び中棒６を土中に押し込む。そしてその状態から、中棒６が取り付けられた上板２だけを抜き去る。【０００７】  上板２を抜き取ると、図５（２）の様に、下板１の円筒３の部分だけが土中に押し込まれた状態で土８中に空洞ができるので、各円筒３中に上部から種１３を落とし込んでいく。【０００８】  種１３を入れた後、下板１を抜き去ることで、円筒３でせき止められていた周りの土が種１３の上に被さり、種植えが完了となる。【０００９】  種１３の上に自然と被さる土が少ない場合などは、補助的に手で土を被せるなどの対応をする。
【発明の効果】
【００１０】  このように、本発明により、２枚重ねの下板と上板を土中に押しつけるだけで、ポットトレー上に配置されたポットやプランター、苗床等の土中に一度に多数の穴を開ける（くぼみを作る）ことができ、しかも、種１３を植えた後も下板１を抜き去ることで、ほぼ種１３の上に土が被さるため、種植え作業の労力を軽減できる。
【発明を実地するための最良の形態】
【００１１】  本発明は、図１、図２のように、複数の円筒３が付いた下板１と、複数の中棒６が付いた上板２とに、大きく２つから構成されている。
【００１２】  例えば、ポットトレー中に配列された各ポット中の土壌に一斉に穴開けする場合だと、下板１の大きさ（縦×横）はポットトレーの大きさ（縦×横）と同程度の大きさとし、下板１の取っ手４・４より内側に上板２を重ねられるように、上板２の大きさ（縦×横）は下板１より小さめが望ましい。
【００１３】  図２のように、ポットトレー中に縦横に配列された各ポットのほぼ中央に、それぞれの円筒３が位置するように、下板１の下面に各円筒３を取り付ける。このとき、各円筒３は鉛直状であり、上下に向いている。下板１は、各円筒３の中と連通する開口が開いていることは言うまでもない。
【００１４】  図２および図３では、一般的に利用されているポットトレーにあわせて４×６の合計２４本の円筒３の例を示している。
【００１５】  図４のガイド穴１０のように、円筒３の内径と下板１の開口は、漏斗状の上広がりの斜面とすることで、中棒６を挿入する際のガイドとして利用できる。ただし、必ずしも上広がりである必要はない。
【００１６】  円筒３の内径は２ｃｍ、長さは５ｃｍ程度が望ましいが、ポットやプランターの大きさ、植え付ける種の種類等によって、その内径や長さを変更する。
【００１７】  上板２の下面には、下板１の下面の円筒３の中に入る棒（中棒６）を、各円筒３の長さと同等か長めに配置し、取り付ける。
【００１８】  各中棒６の先端部１１は、図４のようにテーパ状に尖らせてガイドとし、円筒３中へ一斉に挿入しやすい構造とする方が望ましい。しかも、図５（２）のように種穴を開けた際に、穴底がすり鉢状に形成されるので、無意識に投入された種１３が自然と種穴の中央に滑り落ちるというガイド効果を奏し、好都合である。
【００１９】  下板１および上板２には、持ち運びや、ポットやプランター等への抜き差しのための取っ手４並びに取っ手５を取り付けてある。
【００２０】  取っ手の取り付け位置は、下板１と上板２においては、図３のように互い違いにした構造や並行に配置した構造等が考えられる。
【産業上の利用可能性】
【００２１】  以上のように、本発明は、ポットトレー上に配置されたポットやプランター、苗床などの小規模畑等において種植えを行う際に効率よく作業を進めていける種植えパネルとして利用価値が高い。
【図面の簡単な説明】
【図１】本発明の種植えパネルの構成を示す側面図である。
【図２】種植えパネルを底面から見た図である。
【図３】種植えパネルを上面から見た平面図である。
【図４】図２のＡ−Ａ位置の拡大断面図で、（１）は下板上に上板を重ねた状態、（２）は上板を抜いた状態である。
【図５】ポットの土壌に下板円筒を押し込んだ状態のＡ−Ａ拡大断面図である。
【符号の説明】
１・・・下板
２・・・上板
３・・・円筒
４・・・下板の取っ手
５・・・上板の取っ手
６・・・中棒
７・・・中棒取り付けネジ
８・・・土
９・・・取っ手のナット部分
１０・・漏斗状斜面
１１・・中棒先端部
１２・・ポット
１３・・種
【図１】
2009247341.tif 000003
【図２】
2009247341.tif 000004
【図３】
2009247341.tif 000005
【図４】
2009247341.tif 000006
【図５】
2009247341.tif 000007
【手続補正書】
【提出日】平成20年10月29日(2008.10.29)
【手続補正１】
【補正対象書類名】特許請求の範囲
【補正対象項目名】全文
【補正方法】変更
【補正の内容】
【特許請求の範囲】
【請求項１】
複数の鉛直向きの円筒を下面に有する下板の上に、上板下面の各中棒が前記円筒中に入るように、上板をぴったりと重ねた状態で、土壌中に各円筒を押し込み、次いで上板を除去してから各円筒中に種を落とし込み、その後に下板を土壌から抜き去ることを特徴とする種植えパネルによる種植え方法。
【請求項２】
複数の鉛直向きの円筒を下面に有する下板と、前記の各円筒中に挿入する中棒を下面に有する上板とから成り、前記下板は、前記各円筒中に上板下面の各中棒が嵌入できるように貫通穴が開口しており、しかも下板の上に上板がぴったりと重なる構造となっていることを特徴とする種植えパネル。
【請求項３】
前記の中棒の下端をテーパ状に尖らし、並びに／又は前記円筒の上端内径を漏斗状の斜面にしてあることを特徴とする請求項２に記載の種植えパネル。
【手続補正２】
【補正対象書類名】明細書
【補正対象項目名】０００６
【補正方法】変更
【補正の内容】
【０００６】  手順としては、図５（１）の様に、下板１の上に上板２をぴったりと重ねて、下板１の各円筒３中に上板２の中棒６が嵌入した状態で、ポットやプランター、苗床などの土中に、中棒の入った円筒３を押し着けることによって、円筒３及び中棒６を土中に押し込む。そしてその状態から、中棒６が取り付けられた上板２だけを抜き去る。
【手続補正３】
【補正対象書類名】明細書
【補正対象項目名】００１２
【補正方法】変更
【補正の内容】
【００１２】  例えば、ポットトレー中に配列された各ポット中の土壌に一斉に穴開けする場合だと、下板１の大きさ（縦×横）はポットトレーの大きさ（縦×横）と同程度の大きさとし、下板１の取っ手４・４より内側に上板２をぴったりと重ねられるように、上板２の大きさ（縦×横）は下板１より小さめが望ましい。